(57)【要約】      （修正有）【課題】集合ポストが設置された場所において、各ポストに投函すべき検針票を出力することができる仕組みを提供する。【解決手段】検針業務に用いられる携帯端末であって、各部屋近辺の検針メータによる検針結果の入力を受け付け、入力した検針結果を集合ポストの設置場所で出力する。検針結果の出力にあたっては、被写体を撮影し撮影された画像に含まれる二次元コードを検出し、検出された二次元コードに対応する顧客の検針結果を出力する。【選択図】図１
2015102919.tif 000002
【特許請求の範囲】
【請求項１】
検針業務に用いられる携帯端末であって、
検針結果の入力を受け付ける検針結果入力手段と、
前記検針結果入力手段により入力した検針結果を出力する出力手段と、
被写体を撮影する撮像手段と、
前記撮像手段により撮影された画像に含まれる二次元コードを検出する検出手段と、
を備え、
前記出力手段は、前記検出手段により検出された二次元コードに対応する顧客の検針結果を出力することを特徴とする携帯端末。
【請求項２】
前記検出手段により検出された二次元コードに対応する顧客の情報が存在するかを判定する顧客情報判定手段と、
前記顧客情報判定手段により、前記二次元コードに対応する顧客の情報が存在しないと判定された場合、エラー画面を表示部に表示する表示制御手段と、
を備え、
前記出力手段は、前記顧客情報判定手段により、前記二次元コードに対応する顧客の情報が存在する場合に、当該顧客の検針結果を出力することを特徴とする請求項１に記載の携帯端末。
【請求項３】
前記出力手段により出力する検針結果の出力順番の設定を受け付ける出力順番設定受付手段をさらに備えることを特徴とする請求項１または２に記載の携帯端末。
【請求項４】
前記出力手段により検針結果が出力された場合、当該出力された検針結果を出力済みとして管理する出力情報更新手段をさらに備えることを特徴とする請求項１乃至３のいずれか１項に記載の携帯端末。
【請求項５】
前記出力手段は、前記検針結果が未出力である場合に、当該検針結果を出力することを特徴とする請求項４に記載の携帯端末。
【請求項６】
検針業務に用いられる携帯端末における情報処理方法であって、
前記携帯端末の検針結果入力手段が、検針結果の入力を受け付ける検針結果入力工程と、
前記携帯端末の出力手段が、前記検針結果入力工程において入力した検針結果を出力する出力工程と、
前記携帯端末の撮像手段が、被写体を撮影する撮像工程と、
前記携帯端末の検出手段が、前記撮像工程において撮影された画像に含まれる二次元コードを検出する検出工程と、
を備え、
前記出力工程は、前記検出工程において検出された二次元コードに対応する顧客の検針結果を出力することを特徴とする情報処理方法。
【請求項７】
検針業務に用いられる携帯端末において実行可能なプログラムであって、
前記携帯端末を、
検針結果の入力を受け付ける検針結果入力手段と、
前記検針結果入力手段により入力した検針結果を出力する出力手段と、
被写体を撮影する撮像手段と、
前記撮像手段により撮影された画像に含まれる二次元コードを検出する検出手段として機能させ、
前記出力手段を、前記検出手段により検出された二次元コードに対応する顧客の検針結果を出力するよう機能させることを特徴とするプログラム。
【発明の詳細な説明】
【技術分野】
【０００１】
本発明は、携帯端末、情報処理方法、プログラムに関する。
【背景技術】
【０００２】
近年、情報機器やプリンタの小型化により、領収書などの帳票の印刷はハンディターミナル等の携帯端末を用いて場所や時間の制限無く行なう事が可能となっている。このような帳票出力方法は顧客の玄関先に検針作業者が伺い、その場で検針票を印刷する検針業務等で知られている。
【０００３】
携帯端末にて検針票等を発行する場合、検針結果を入力し、検針票を印刷し、顧客のポスト等に投函するという作業を繰り返す。
【０００４】
ここで、集合住宅などで検針業務を行う場合は、各部屋近辺に取りつけられた検針メータを確認後、検針票を印刷するということを部屋ごとに繰り返し、最後に集合ポストに行って各顧客のポストに検針票を投函するという作業となる。
【０００５】
特許文献１には、携帯端末を用いて検針業務を行い、検針票を出力する仕組みについて記載がされている。
【先行技術文献】
【特許文献】
【０００６】
【特許文献１】特開２００６−１３９７１５号公報
【発明の開示】
【発明が解決しようとする課題】
【０００７】
しかしながら、上述のように各部屋近辺に取りつけられた検針メータを確認後、検針票を印刷するということを部屋ごとに繰り返し、最後に集合ポストに行って各顧客のポストに検針票を投函するという作業の場合、集合住宅内のすべての検針結果の入力が完了するまで、印刷された検針票を検針作業者が持ち歩かなくてはならならず、紛失のリスクがあった。
【０００８】
検針票には、個人情報（個人名や住所等）が印刷されているため、検針票を紛失した場合には個人情報が流出するという危険性がある。
【０００９】
そこで、本発明では、ポストが設置された場所において当該ポストに投函すべき検針票を出力することができる仕組みを提供することを特徴とする。
【課題を解決するための手段】
【００１０】
本発明は、検針業務に用いられる携帯端末であって、検針結果の入力を受け付ける検針結果入力手段と、前記検針結果入力手段により入力した検針結果を出力する出力手段と、被写体を撮影する撮像手段と、前記撮像手段により撮影された画像に含まれる二次元コードを検出する検出手段と、を備え、前記出力手段は、前記検出手段により検出された二次元コードに対応する顧客の検針結果を出力することを特徴とする。
【００１１】
また、本発明は検針業務に用いられる携帯端末における情報処理方法であって、前記携帯端末の検針結果入力手段が、検針結果の入力を受け付ける検針結果入力工程と、前記携帯端末の出力手段が、前記検針結果入力工程において入力した検針結果を出力する出力工程と、前記携帯端末の撮像手段が、被写体を撮影する撮像工程と、前記携帯端末の検出手段が、前記撮像工程において撮影された画像に含まれる二次元コードを検出する検出工程と、を備え、前記出力工程は、前記検出工程において検出された二次元コードに対応する顧客の検針結果を出力することを特徴とする。
【００１２】
また、本発明は、検針業務に用いられる携帯端末において実行可能なプログラムであって、前記携帯端末を、検針結果の入力を受け付ける検針結果入力手段と、前記検針結果入力手段により入力した検針結果を出力する出力手段と、被写体を撮影する撮像手段と、前記撮像手段により撮影された画像に含まれる二次元コードを検出する検出手段として機能させ、前記出力手段を、前記検出手段により検出された二次元コードに対応する顧客の検針結果を出力するよう機能させることを特徴とする。
【発明の効果】
【００１３】
そこで、本発明は、ポストが設置された場所において当該ポストに投函すべき検針票を出力することが可能となる。
【図面の簡単な説明】
【００１４】
【図１】携帯端末１０１の機能を示す機能ブロック図
【図２】携帯端末１０１のハードウエア構成を示す図
【図３】携帯端末１０１が実行する検針業務処理を示すフローチャート
【図４】携帯端末１０１が実行する検針票出力処理を示すフローチャート
【図５】二次元コードマスタの一例を示す図
【図６】顧客情報マスタの一例を示す図
【図７】検針結果が登録されたテーブルの一例を示す図
【図８】携帯端末１０１の表示部に表示される画面の遷移を示す図
【図９】二次元コードの一例を示す図
【図１０】二次元コードが貼り付けられたポストの一例を示す図
【図１１】二次元コードが貼り付けられたポストの撮影時に携帯端末に表示される画面の一例を示す図
【図１２】帳票の出力順番を設定するための画面の一例を示す図
【図１３】帳票の出力順番を設定するための画面の一例を示す図
【図１４】エラー画面の一例を示す図
【発明を実施するための形態】
【００１５】
図１を用いて、本発明の実施形態における携帯端末１０１の機能を説明する。
【００１６】
本実施形態における携帯端末１０１は、検針業務（電気やガス、水道などの使用量を入力し、使用量と請求金額等が記載された帳票を出力する業務）において用いられる端末として説明する。
【００１７】
携帯端末１０１は、検針結果入力部１５１、出力部１５２、撮像部１５３、検出部１５４等から構成される。各機能部の機能について以下説明する。
【００１８】
検針結果入力部１５１は、検針結果の入力を受け付ける機能を備える。
【００１９】
出力部１５２は、前記検針結果入力部１５１により入力した検針結果を出力する機能を備える。例えば携帯端末１０１に備えられた印刷手段（プリンタ）から帳票の印刷をすることで出力したり、外部装置として接続されたプリンタから出力したり、といった方法により出力する。
【００２０】
撮像部１５３は、被写体を撮影する機能を備える。本実施形態における被写体は、二次元コードを含むものである。
【００２１】
検出部１５４は、前記撮像部により撮影された画像に含まれる二次元コードを検出する。
【００２２】
また、前記出力部１５２は、検出部１５４により検出された二次元コードに対応する顧客の検針結果を出力することを特徴とする。
【００２３】
以下、図２を用いて、図１に示した携帯端末１０１のハードウエア構成の一例について説明する。
【００２４】
図２において、２０１はＣＰＵで、システムバス２０４に接続される各デバイスやコントローラを統括的に制御する。また、ＲＯＭ２０３あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な各種プログラム等が記憶されている。
【００２５】
２０２はＲＡＭで、ＣＰＵ２０１の主メモリ、ワークエリア等として機能する。ＣＰＵ２０１は、処理の実行に際して必要なプログラム等をＲＯＭ２０３あるいは外部メモリ２１１からＲＡＭ２０２にロードして、該ロードしたプログラムを実行することで各種動作を実現するものである。
【００２６】
また、２０５は入力コントローラで、入力装置２０９等からの入力を制御する。２０６はビデオコントローラで、液晶ディスプレイ等のディスプレイ装置２１０への表示を制御する。なお、ディスプレイ装置は、液晶ディスプレイに限られず、ＣＲＴディスプレイなどであっても良い。これらは必要に応じてクライアントが使用するものである。
【００２７】
２０７はメモリコントローラで、ブートプログラム，各種のアプリケーション，フォントデータ，ユーザファイル，編集ファイル，各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００２８】
２０８は通信Ｉ／Ｆコントローラで、ネットワーク（例えば、図１に示したＬＡＮ４００）を介して外部機器と接続・通信するものであり、ネットワークでの通信制御処理を実行する。例えば、ＴＣＰ／ＩＰを用いた通信等が可能である。
【００２９】
なお、ＣＰＵ２０１は、例えばＲＡＭ２０２内の表示情報用領域へアウトラインフォントの展開（ラスタライズ）処理を実行することにより、ディスプレイ装置２１０上での表示を可能としている。また、ＣＰＵ２０１は、ディスプレイ装置２１０上の不図示のマウスカーソル等でのユーザ指示を可能とする。
【００３０】
ハードウエア上で動作する各種プログラムは、外部メモリ２１１に記録されており、必要に応じてＲＡＭ２０２にロードされることによりＣＰＵ２０１によって実行されるものである。
【００３１】
プリンタコントローラ２１２は、サーマルドットライン方式プリンタ２１３等の印刷機を制御する。
【００３２】
スキャナコントローラ２１４は、スキャナ２１５等の識別器を制御する。
【００３３】
なお、全ての装置がこれらの構成を備えているわけではなく、必要なものを備えていればよい。
【００３４】
次に、を用いて、本実施形態における検針業務処理について説明する。
【００３５】
なお、図３のフローチャートに示す処理は、携帯端末１０１のＣＰＵ２０１が所定の制御プログラムを読み出して実行する処理である。
【００３６】
ステップＳ３０１では、携帯端末１０１のＣＰＵ２０１は、図８（Ａ）に示すメニュー画面を表示部に表示し、ユーザからメニューの選択を受け付ける。本実施形態では、検針メニューが選択されるものとして説明する。
【００３７】
ユーザから検針メニューが選択されると、ステップＳ３０２では、携帯端末１０１のＣＰＵ２０１は、図８（Ｂ）の画面を表示し、ユーザから顧客選択メニューの選択を受け付け、図８（Ｃ）の画面において検針対象の顧客の選択を受け付ける。
【００３８】
ユーザから検針対象の顧客の選択を受け付けると、ステップＳ３０３では、携帯端末１０１のＣＰＵ２０１は、図８（Ｄ）に示す検針入力画面を表示部に表示する。
【００３９】
ステップＳ３０４では、携帯端末１０１のＣＰＵ２０１は、ステップＳ３０３で表示した検針入力画面を介して、検針結果を受け付け、受け付けた結果を図７に示す検針結果テーブルに格納する。また、出力情報の項目を未出力とする。
【００４０】
ステップＳ３０５では、携帯端末１０１のＣＰＵ２０１は、表示部に請求画面（図８（Ｅ））を表示する。
【００４１】
ステップＳ３０６では、携帯端末１０１のＣＰＵ２０１は、図８（Ｅ）の画面においてユーザから確認ボタンの押下を受け付ける。
【００４２】
確認ボタンの押下を受け付けると、ステップＳ３０７では、携帯端末１０１のＣＰＵ２０１は、表示部に印刷画面（図８（Ｆ））を表示する。
【００４３】
ステップＳ３０８では、携帯端末１０１のＣＰＵ２０１は、ステップＳ３０７において表示した印刷画面を介して、ユーザから検針票をあとで出力するかの選択を受け付ける。具体的には、図８（Ｆ）に示す検針票後出しボタン８０２ボタンと確認ボタン８０３のいずれかの押下を受け付け、検針票後出しボタン８０２が押下された場合は検針票を後出しする。
【００４４】
ここで検針票の後出しとは、検針を行ったタイミングでその都度出力するのではなく、複数の検針結果を記憶しておき後でまとめてそれらの検針票を出力することをいう。すなわち、ここで検針票後出しボタン８０２が押下された場合には、検針票はこのタイミングでは印刷されない。他方、確認ボタン８０３が押下された場合には、このタイミングで検針票が印刷される。
【００４５】
検針票を後出しする場合（ステップＳ３０８：ＹＥＳ）は本フローチャートの処理を終了する。
【００４６】
検針票を後出ししない、すなわちこのタイミングで出力する場合（ステップＳ３０８：ＮＯ）は、処理をステップＳ３０９に移行する。
【００４７】
ステップＳ３０９では、携帯端末１０１のＣＰＵ２０１は、検針票を出力し、出力した旨を図７に示す検針結果テーブルの出力情報に格納する。そして、本フローチャートの処理を終了する。
【００４８】
次に、図４を用いて、本実施形態における検針票出力処理について説明する。
【００４９】
なお、図４のフローチャートに示す処理は、携帯端末１０１のＣＰＵ２０１が所定の制御プログラムを読み出して実行する処理である。
【００５０】
ステップＳ４０１では、携帯端末１０１のＣＰＵ２０１は、表示部に図８（Ａ）に示すメニュー選択画面を表示し、ユーザからメニューの選択を受け付ける。本実施形態においては、検針メニューの選択を受け付けるものとする。
【００５１】
ステップＳ４０２では、携帯端末１０１のＣＰＵ２０１は、ステップＳ４０１で表示したメニュー表示画面を介してユーザから検針メニューの選択を受け付けると、図８（Ｂ）の画面を表示部に表示し、検針業務の選択を受け付ける。本実施形態においては、作表処理が選択されるものとする。
【００５２】
作表処理が選択されると、ステップＳ４０３では携帯端末１０１のＣＰＵ２０１は、未出力の検針データが存在するか否かを判断する。具体的には、図７の検針結果テーブルにおける出力情報の項目に未出力の旨が登録されたデータが存在するかにより判断する。
【００５３】
未出力の検針結果が存在する場合（ステップＳ４０３：ＹＥＳ）は、処理をステップＳ４０４に移行する。
【００５４】
未出力の検針結果が存在しない場合（ステップＳ４０４：ＮＯ）は、本フローチャートに示す処理を終了する。
【００５５】
ステップＳ４０４では、携帯端末１０１のＣＰＵ２０１は、ユーザの操作に従い、二次元コードの撮影を行う。
【００５６】
本実施形態においては、集合ポストのある場所に、二次元コードが存在することを前提とする。例えば各ポストひとつひとつに二次元コードが貼られていても良いし、二次元コードの集合が集合ポストのある付近に存在してもよい。いずれにしても、二次元コードを撮影し、撮影された二次元コードに対応する顧客の検針結果を、当該顧客のポストに投函するという処理を行うため、検針結果を投函するポストの付近に二次元コードがあることが望ましい。
【００５７】
ここで、二次元コードとは、例えば特開２００９−７８９７３号公報にあるように、複数のセルが配列されて構成されるコードのことをいう。特許文献２に記載された二次元コードは、静止画中に当該二次元コードが含まれている場合、当該二次元コードのＩＤ（識別情報）と、当該二次元コードの静止画中の位置（座標）とが取得されるという特徴を有するものである。なお、本実施形態においては、二次元コードを検出し、そのＩＤと静止画中の位置（座標）を取得するアプリケーションは、携帯端末１０１が有しているものとする。
【００５８】
なお、二次元コードについては、一度に複数の二次元コードを認識できるものであればいずれでもよい。二次元コードの一例を図９に示す。
【００５９】
図１０は、ポストに二次元コードが貼り付けられた状態を示した図である。ポストの投函口１００１、ダイヤルキー１００２、二次元コード１００３から構成されている。
【００６０】
図１１は、集合ポストを撮影した際に携帯端末１０１の表示部に表示される画像の一例を示す図である。図１１では、４段３列の集合ポストを撮影した様子を表している。
【００６１】
図１１に示すように、ポストのひとつひとつに二次元コードが貼り付けられている。また、二次元コードを検出したことを示す枠線（破線による矩形）が表示されている。
以下、検針結果の出力処理について説明する。
【００６２】
ステップＳ４０５では、携帯端末１０１のＣＰＵ２０１は、ステップＳ４０４で撮影された画像を解析する。
【００６３】
ステップＳ４０５における解析処理は、撮影された画像の中に含まれる二次元コードにより示されるＩＤと二次元コードの画像中の位置（座標）とを取得する。なお、画像の中に複数の二次元コードが存在する場合には、それら複数の二次元コードについて、そのＩＤと位置とを取得する。
【００６４】
ステップＳ４０６では、携帯端末１０１のＣＰＵ２０１は、ステップＳ４０５における解析処理により取得した二次元コードＩＤに対応する顧客情報を、図５、図６に示すテーブルから取得する。
【００６５】
ステップＳ４０７では、携帯端末１０１のＣＰＵ２０１は、ステップＳ４０６における取得処理で顧客情報を取得できたか否かを判断する。すなわち、ステップＳ４０５における解析処理によって取得した二次元コードＩＤに対応する顧客情報が登録されているか否かを判断する。
【００６６】
顧客情報が存在する場合（ステップＳ４０７：ＹＥＳ）は、処理をステップＳ４０８に移行する。
【００６７】
顧客情報が存在しない場合（ステップＳ４０７：ＮＯ）は、処理をステップＳ４１３に移行し、顧客情報が存在しない旨のエラー画面（一例として図１４（Ａ））を表示部に表示し、次の二次元コードに対する処理に移行する。
【００６８】
ステップＳ４０８では、携帯端末１０１のＣＰＵ２０１は、ステップＳ４０６で取得した顧客情報に未出力の検針結果が登録されているかを、図７の検針結果テーブルを用いて判断する。
【００６９】
未出力の検針結果が登録されている場合（ステップＳ４０８：ＹＥＳ）は、処理をステップＳ４０９に移行する。
【００７０】
未出力の検針結果が登録されていない場合、すなわち検針結果は登録されているものの既に出力済みである場合若しくは、検針結果が何ら登録されていない場合（ステップＳ４０８：ＮＯ）は、処理をステップＳ４１４に移行しエラー画面（一例として図１４（Ｂ））を表示部に表示し、次の二次元コードに対する処理に移行する。
【００７１】
ステップＳ４０９では、携帯端末１０１のＣＰＵ２０１は、ステップＳ４０５で取得した二次元コードＩＤの全てについて、ステップＳ４０６〜Ｓ４０８の処理を実行したかを判断する。
【００７２】
すべての二次元コードに対してステップＳ４０６〜Ｓ４０８の処理を実行した場合（ステップＳ４０９：ＹＥＳ）は、処理をステップＳ４１０に移行する。
【００７３】
まだ処理を実行していない二次元コードが存在する場合（ステップＳ４０９：ＮＯ）は、処理をステップＳ４０６に移行し、処理を実行していない二次元コードに対する処理を行う。
【００７４】
ステップＳ４１０では、携帯端末１０１のＣＰＵ２０１は、ステップＳ４０５における解析処理によって取得した二次元コードＩＤに対応する顧客の検針結果の出力順序（印刷順番）の設定を受け付ける。
【００７５】
例えば図１１に示すように、１２個の二次元コードが撮影され、それらの二次元コードに対応する顧客の検針結果を出力する場合で説明する。
【００７６】
この場合、図１２に示すような印刷順番設定画面を表示部に表示し、ユーザからの指示を受け付けることで、いずれの順序で検針結果を出力するかを決定する。図１２に示す例では、左上から１番、その下が２番、さらに下が３番・・・というように指定され、真ん中の列の一番上が５番として指定されていることを表す。
【００７７】
順番の指定方法については、ユーザが検出した二次元コードをタッチした順番で１番から順に印刷順番を設定していく方法がある。タッチする方法ではなく、指でなぞった順番に印刷するような指定方法であってもよい。また、撮影された画像を使わず、図１３のように印刷する順番を方向で指定するような方法であっても良い。例えば図１３における「左上→右上→左下→右下」とは、一番上の段の左端を１番として設定し、その右を２番、更に右を３番・・・と設定し、１番上の段の右端に来たら、２段目の左端から順に印刷していくよう設定することを意味している。
【００７８】
なお、二次元コードを検出した位置（座標）を用いることで、いずれの二次元コードに対応する顧客の検針結果を、どの順番で（何番目に）出力するかを決定することが可能である。
【００７９】
このように、帳票を出力する順序を指定することは、ユーザが帳票をポストに投函する順序を指定していることになる。すなわち、ユーザが帳票をポストに投函しやすい順序を印刷順番として指定することで、ユーザは印刷された帳票を指定した順序でポストに投函することが可能となる。これにより、出力される度にどの顧客の検針結果であるかを確認する手間を低減することが可能となる。
【００８０】
ステップＳ４１１では、携帯端末１０１のＣＰＵ２０１は、ステップＳ４１０で指定された順序で、ステップＳ４０５で取得した二次元コードに対応する顧客の検針結果を出力する。
【００８１】
ステップＳ４１２では、携帯端末１０１のＣＰＵ２０１は、ステップＳ４１１で出力した検針結果の出力情報（図７）を出力済みに更新する。そして、本フローチャートの処理を終了する。
【００８２】
図５は、二次元コードマスタの一例を示す図である。図５に示す二次元コードマスタは、二次元コードのＩＤと顧客番号とが対応付けて登録されたデータテーブルである。
【００８３】
図６は、顧客情報マスタの一例を示す図である。図６に示す顧客情報マスタは、顧客番号と、顧客名と、顧客住所と、顧客部屋番号とから構成される。
【００８４】
図７は、検針結果テーブルの一例を示す図である。図７に示すように、顧客番号、今回の指針（健診結果）、請求金額、出力情報から構成される。出力情報は、図７の例では、「１」が出力済み、「２」が未出力であることを示している。
【００８５】
以上のように、本発明によれば、集合住宅において検針業務者は、各部屋（各顧客）の検針結果を携帯端末に入力し、集合ポストの前でそれらの検針結果をまとめて出力することが可能となる。これにより、検針業務者は、検針業務中に検針結果が記載された帳票を持ち歩く必要がなくなり、紛失による個人情報流出の危険性を低減することが可能となる。
【００８６】
また、検針結果の出力にあたっては、各顧客に対応する二次元コードを読み取り、読み取った二次元コードに対応する顧客の検針結果を出力することが可能となるため、集合ポストが複数に分かれているような場合にいずれの顧客の検針結果を出力すべきかを確かめながら出力するという手間を低減させることが可能となる。
【００８７】
また、検針結果の出力の順番を設定することが可能となることから、検針業務者は出力された順にポストに投函すればよく、出力された検針結果が何れの顧客の結果であり、どのポストに投函すべきかを都度確認する手間を低減させることが可能となる。
【００８８】
なお、上述した各種データの構成及びその内容はこれに限定されるものではなく、用途や目的に応じて、様々な構成や内容で構成されることは言うまでもない。
【００８９】
また、本発明におけるプログラムは、図３、図４の処理をコンピュータに実行させるプログラムである。なお、本発明におけるプログラムは、図３、図４の各処理ごとのプログラムであってもよい。
【００９０】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読み出し、実行することによっても本発明の目的が達成されることは言うまでもない。
【００９１】
この場合、記録媒体から読み出されたプログラム自体が本発明の新規な機能を実現することになり、そのプログラムを記録した記録媒体は本発明を構成することになる。
【００９２】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることが出来る。
【００９３】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００９４】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００９５】
また、本発明は、複数の機器から構成されるシステムに適用しても、ひとつの機器から成る装置に適用しても良い。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【００９６】
さらに、本発明を達成するためのプログラムをネットワーク上のサーバ、データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【符号の説明】
【００９７】
１０１  携帯端末
【図１】
2015102919.tif 000003
【図２】
2015102919.tif 000004
【図３】
2015102919.tif 000005
【図４】
2015102919.tif 000006
【図５】
2015102919.tif 000007
【図６】
2015102919.tif 000008
【図７】
2015102919.tif 000009
【図８】
2015102919.tif 000010
【図９】
2015102919.tif 000011
【図１０】
2015102919.tif 000012
【図１１】
2015102919.tif 000013
【図１２】
2015102919.tif 000014
【図１３】
2015102919.tif 000015
【図１４】
2015102919.tif 000016